(57)【要約】【課題】頭皮上でのブラシ通りが良く、洗髪時等に動かしやすく、頭皮のマッサージ効果と毛穴内部の洗浄効果の両方が優れる頭皮毛穴洗浄用ブラシの提供。【解決手段】先端に向けて漸次細くなる用毛が束ねられた複数の毛束３が、基台の植毛面２１に植毛された頭皮毛穴洗浄用ブラシ１であり、植毛面２１における複数の毛束３よりも外周側には、二本で対をなす弾性体５ａ，５ａ，５ｂ，５ｂ，…，５ｆ，５ｆが複数組突設されている。対をなす二本の弾性体を結ぶ領域内のみに、複数の毛束３が配置されることにより、二本の弾性体とその間に配置された毛束３とからなるブラシ列６ａ，６ｂ，…，６ｆが複数組形成されている。任意のブラシ列と、他の任意のブラシ列とは、互いに平行であり、かつ、用毛の植毛面２１からの高さは、弾性体５ａ，５ａ，５ｂ，５ｂ，…，５ｆ，５ｆの植毛面２１からの高さ以下である。【選択図】図３
2015109906.tif 000002
【特許請求の範囲】
【請求項１】
先端に向けて漸次細くなる用毛が束ねられた複数の毛束が、基台の植毛面に植毛された頭皮毛穴洗浄用ブラシであって、
前記植毛面における複数の毛束よりも外周側には、二本で対をなす弾性体が複数突設され、対をなす二本の弾性体を結ぶ領域内のみに、前記複数の毛束が配置されることにより、二本の弾性体とその間に配置された毛束とからなるブラシ列が複数組形成され、
任意のブラシ列と、他の任意のブラシ列とは、互いに平行であり、かつ、
前記用毛の前記植毛面からの高さは、前記弾性体の前記植毛面からの高さ以下であることを特徴とする頭皮毛穴洗浄用ブラシ。
【請求項２】
前記弾性体の横断面は、等方的形状であることを特徴とする請求項１に記載の頭皮毛穴洗浄用ブラシ。
【発明の詳細な説明】
【技術分野】
【０００１】
本発明は、頭皮毛穴洗浄用ブラシに関する。
【背景技術】
【０００２】
毛髪、頭皮を洗浄する際に使用するブラシとして、種々のものが知られている。
例えば、特許文献１には、複数本の細径の用毛（ブリッスル）からなる毛束が基台に植毛されたブラシが記載されている。このブラシにおいては、用毛の先端を先細りの先細り状とするとともに、基台において毛束を密に植毛する部分と、毛束を植毛しない部分とを設けること等により、頭皮のマッサージ効果と毛穴内部の洗浄効果との両方が得られるようにしている。
【０００３】
ところが、特許文献１に記載のブラシを例えば毛髪の長い使用者が洗髪に使用した場合、毛束を構成する用毛に毛髪が絡みつきやすいという課題があった。そのため、用毛の先端が頭皮に到達しにくくなり、毛穴内部への洗浄効果や頭皮への高いマッサージ効果が得られ難いことがあった。また、使用者が用毛の頭皮への到達を感じることができないために、ブラシ使用によるマッサージ効果を実感しにくいという課題もあった。
【０００４】
毛穴内部の洗浄効果とともに、より高いマッサージ効果が得られるようにしたブラシとして、例えば特許文献２には、複数本の細径の用毛からなる毛束に加えて、弾性材料からなる複数の錐体状突起が基台に形成されたブラシが記載されている。このブラシでは、植毛面上において、毛束を植毛面上の周縁に沿った外周部に配置し、一方、錐体状突起を毛束よりも内側の部分に配置し、また、用毛の植毛面からの高さを突起の高さよりも長くすること等により、毛穴内部の洗浄効果とより高いマッサージ効果とを両立できるようにしている。
【先行技術文献】
【特許文献】
【０００５】
【特許文献１】国際公開第２００８／１４３１３１号
【特許文献２】特開２００９−２０１５７０号公報
【発明の概要】
【発明が解決しようとする課題】
【０００６】
しかしながら、特許文献２に記載のブラシは、例えば毛髪量の多い使用者が使用した場合等において、毛髪をかき分けにくいという課題があった。そのため、ブラシ通りが悪く、頭皮上でブラシを動かしにくい場合や、頭皮のマッサージ効果と毛穴内部の洗浄効果とが得られにくい場合があった。
【０００７】
本発明は上記問題に鑑みてなされたものであり、頭皮上でのブラシ通りが良く、洗髪時等に動かしやすく、頭皮のマッサージ効果と毛穴内部の洗浄効果の両方が優れる頭皮毛穴洗浄用ブラシを提供することを目的とする。
【課題を解決するための手段】
【０００８】
上記課題を解決するために本発明者が鋭意検討した結果、用毛が束ねられた毛束と、突起状の弾性体とが突設された頭皮毛穴洗浄用ブラシにおいて、毛束と弾性体との配置パターン等を適正化し、かつ、用毛の植毛面からの高さを弾性体の植毛面からの高さ以下とすることにより、頭皮上でのブラシ通りが良く、洗髪時等に動かしやすく、頭皮のマッサージ効果と毛穴内部の洗浄効果の両方が優れる頭皮毛穴洗浄用ブラシを提供できることを見出し、本発明を完成するに至った。
【０００９】
［１］先端に向けて漸次細くなる用毛が束ねられた複数の毛束が、基台の植毛面に植毛された頭皮毛穴洗浄用ブラシであって、前記植毛面における複数の毛束よりも外周側には、二本で対をなす弾性体が複数組突設され、対をなす二本の弾性体を結ぶ領域内のみに、前記複数の毛束が配置されることにより、二本の弾性体とその間に配置された毛束とからなるブラシ列が複数組形成され、任意のブラシ列と、他の任意のブラシ列とは、互いに平行であり、かつ、前記用毛の前記植毛面からの高さは、前記弾性体の前記植毛面からの高さ以下であることを特徴とする頭皮毛穴洗浄用ブラシ。
［２］前記弾性体の横断面は、等方的形状であることを特徴とする［１］に記載の頭皮毛穴洗浄用ブラシ。
【発明の効果】
【００１０】
本発明の頭皮毛穴洗浄用ブラシは、頭皮上でのブラシ通りが良く、洗髪時等に動かしやすく、頭皮のマッサージ効果と毛穴内部の洗浄効果の両方が優れる。
【図面の簡単な説明】
【００１１】
【図１】本発明の頭皮毛穴洗浄用ブラシの一例を示す側面図である。
【図２】図１の頭皮毛穴洗浄用ブラシの植毛面側からの底面図である。
【図３】図１の頭皮毛穴洗浄用ブラシの植毛面側からの底面図である。
【図４】図１の頭皮毛穴洗浄用ブラシの把持部側からの上面図である。
【図５】図１の頭皮毛穴洗浄用ブラシを把持した状態を示す概略図である。
【図６】図１の頭皮毛穴洗浄用ブラシを構成する用毛の模式的な説明図である。
【図７】植毛面に植毛された用毛の高さ等を説明する模式的な説明図である。
【図８】植毛面に取り付けられた弾性体の高さ等を説明する模式的な説明図である。
【図９】図１の頭皮毛穴洗浄用ブラシについて、対をなす弾性体の決定方法を説明するための底面図である。
【図１０】二本の弾性体を結ぶ領域について説明するための模式的な平面図である。
【図１１】弾性体の配置について説明する模式的な説明図である。
【図１２】弾性体の配置について説明する模式的な説明図である。
【図１３】（ａ）〜（ｅ）本発明の頭皮毛穴洗浄用ブラシの弾性体および毛束の配置パターンの例を示す模式的な底面図である。
【図１４】（ａ）〜（ｆ）本発明の頭皮毛穴洗浄用ブラシの弾性体および毛束の配置パターンの他の例を示す模式的な底面図である。
【図１５】（ａ）毛束が形成するユニットの一例を示す模式図、（ｂ）毛束が形成するユニットの他の例を示す模式図である。
【図１６】実施例３の頭皮毛穴洗浄用ブラシの弾性体および毛束の配置パターンを示す模式図である。
【図１７】実施例４の頭皮毛穴洗浄用ブラシの弾性体および毛束の配置パターンを示す模式図である。
【図１８】比較例１の頭皮毛穴洗浄用ブラシの弾性体および毛束の配置パターンを示す模式図である。
【図１９】比較例２の頭皮毛穴洗浄用ブラシの毛束の配置パターンを示す模式図である。
【図２０】比較例３の頭皮毛穴洗浄用ブラシの弾性体の配置パターンを示す模式図である。
【発明を実施するための形態】
【００１２】
以下、本発明について、頭皮毛穴洗浄用ブラシ（以下、「洗浄用ブラシ」ともいう。）の一実施形態を例示して、図面を参照しながら説明する。
図１は本発明の洗浄用ブラシの一例を示す側面図である。図２および３は、図１の洗浄用ブラシの植毛面側からの底面図、図４は、図１の洗浄用ブラシの把持部側からの上面図である。
【００１３】
図示例の洗浄用ブラシ１は、略楕円形の植毛面２１を有する平板状の基台２と、植毛面２１に設けられた複数の毛束３と、植毛面２１における複数の毛束３よりも外周側に設けられた複数（この例では１２）の弾性体５ａ，５ａ，５ｂ，５ｂ，…，５ｆ，５ｆとを有する。
弾性体５ａ，５ａ，５ｂ，５ｂ，…，５ｆ，５ｆは、二本一組で対をなしている。具体的には、詳しくは後述するが、弾性体５ａ同士、弾性体５ｂ同士、弾性体５ｃ同士、弾性体５ｄ同士、弾性体５ｅ同士、弾性体５ｆ同士（略楕円形の植毛面２１の長軸に対して略対称の位置に設けられ、互いに対向配置された弾性体同士）が、二本一組で対をなし、合計６組の対を形成している。
複数の毛束３は、それぞれ、先端に向けて漸次細くなる先細り状とされた用毛３１が複数束ねられて構成されている。
なお、この例の洗浄用ブラシ１は、植毛面２１の中央部にも、複数（この例では４）の弾性体５を有している。弾性体５は、正方形状に配置（正方形の各頂点に相当する位置に配置）されている。また、この例では、植毛面２１の中央部の弾性体５の高さは、上述した外周側の弾性体５ａ，５ａ，５ｂ，５ｂ，…，５ｆ，５ｆよりも、植毛面からの高さが低く形成されている。
本明細書において、「対をなす」弾性体とは、植毛面２１において全ての毛束３よりも外側の部分、すなわち、外周側に配置されている弾性体についてのみ言う。例えば、植毛面２１の中央部に配置された４本の弾性体５は、複数の毛束３よりも外周側に配置されたものではないため、本明細書における「「対をなす」弾性体」には該当しない。
【００１４】
基台２は、例えばポリプロピレン等の一般的な硬質樹脂材料等からなり、平面視略楕円形の平板状に形成されている。基台２の一方の面である植毛面２１には、複数の植毛穴２２と複数の弾性体取付穴（図示略）とが形成され、各毛束３は、基台２の各植毛穴２２に、該植毛穴２２の内部が外部から観察されない状態の密度で一束ずつ植毛されている。一方、弾性体５ａ，５ａ，５ｂ，５ｂ，…，５ｆ，５ｆおよび弾性体５は、基台２の各弾性体取付穴に、嵌合等の方法により一本ずつ取り付けられている。
【００１５】
この例の洗浄用ブラシ１は、開口部４１を有するとともに内部が中空部４ａとされた中空状の筐体４を具備している。筐体４は、例えばポリスチレン系樹脂等の樹脂から形成される。
筐体４の開口部４１には、基台２が嵌め込まれて取り付けられている。
筐体４における開口部４１と反対側には、使用者が洗浄用ブラシ１を片手で把持し、操作するための把持部４２が形成されている。この例の把持部４２は、例えば図５に示すように、使用者が人差し指と中指との間でこれを挟み、頭皮上で図中矢印方向（平面視略楕円形である基台２の植毛面２１における短軸方向に概略沿う方向。）に往復移動させやすいように形成されている。具体的には、この例の把持部４２は、平面視略楕円形である基台２の長軸方向に沿って延在する凸状の挟み部４２ａと、挟み部４２ａの上部（挟み部４２ａからみて、基台２が位置する側と反対側。）に設けられ、人差し指と中指を係止する係止部４２ｂとから形成されている。
【００１６】
また、この例では、基台２の植毛面２１の周縁部の対向する２カ所に、基台２の表裏を貫通する一対の貫通孔１４が設けられている。このように貫通孔１４が形成されていると、洗浄用ブラシ１の使用時に、水、洗浄剤等が筐体４の中空部４ａに浸入しても、貫通孔１４から水抜きを行うことができる。これにより洗浄用ブラシ１を長期間、繰り返し使用する場合でも、清潔に使用、保管できる。
【００１７】
次にこの例の洗浄用ブラシを構成する用毛３１および毛束３、弾性体５ａ，５ａ，５ｂ，５ｂ，…，５ｆ，５ｆおよび弾性体５についてそれぞれ説明し、その後、これらが植毛面２１上に配置される配置パターン、用毛３１の高さと弾性体５ａ，５ａ，５ｂ，５ｂ，…，５ｆ，５ｆの高さの関係等について説明する。
【００１８】
（用毛および毛束）
毛束３は、複数の用毛３１が束ねられたものである。
この例の洗浄用ブラシ１に使用されている用毛３１は、図６に示すように、両方の先端部３１ａが先細り状に形成され、各先端部３１ａは、少なくともその端面３１ｂ付近における直径ｄ２が、頭皮の毛穴よりも細い径とされたものである。
用毛３１の材質としては、例えばポリブチレンテレフタレート（ＰＢＴ）、ポリエチレンテレフタレート（ＰＥＴ）、ポリトリメチレンテレフタレート（ＰＴＴ）、ナイロン（登録商標）、ポリエステル等の一般的な樹脂材料を用いることができる。また、例えば美観向上等を目的として、合成樹脂主体の素材に他成分を混合した材料や、耐久性の向上を目的として抗菌剤等を添加した材料を使用してもよい（特開平１１−２５３２３６号公報参照。）。
【００１９】
用毛３１の先端部３１ａを先細り状にすると、頭皮上の毛髪に先端部３１ａの毛先（端面３１ｂ）が当たった際に生じる微弱な力であっても、先端部３１ａが容易に曲がる。そのため、先細り状の用毛３１を用いて毛束３を構成することにより、用毛３１の先端部３１ａが頭皮の毛穴内部に確実に入り込み、毛穴内部の汚れを効果的に除去することができる。
【００２０】
用毛３１の先端部３１ａは、端面３１ｂから０．１ｍｍの位置における直径ｄ２が、例えば５〜５０μｍの範囲となるように、用毛３１の中央部から先端部３１ａ側に向けて漸次縮径した形状であることが好ましい。その場合、用毛３１の長手方向の中央部の直径ｄ１は、例えば１５０〜４００μｍの範囲であることが好ましく、１７０〜３８０μｍがより好ましい。直径ｄ２を上記範囲とすることにより、用毛３１が効率良く毛髪の毛穴内部に入り込み、効果的な洗浄が可能となる。また、この際、複数の毛束３の先端が略一つの平面を構成するように、その植毛面からの高さを揃えることにより、特定の用毛３１のみが頭皮に強く当たることで頭皮を傷める現象を防止できる。
【００２１】
なお、人間の毛髪の直径は、人種、性別、年齢、くせ毛の有無などによって異なるが、一般的な日本人では４０〜１００μｍ程度であり、平均７０μｍ程度である。よって、数本の毛髪が生える１つの毛穴の大きさは、毛髪の直径と同等かそれ以上の大きさと考えられ、平均７０μｍ以上であると考えられる。
【００２２】
また、用毛３１として、図６に示すように、一方のみでなく、両方の先端部３１ａが先細り状であるものを用いると、この用毛３１を複数束ねた後、長手方向の中央部から折り返すようにして植毛することで、両方の先端部３１ａが毛束３の先端に位置するように構成することができる。
【００２３】
用毛３１を先細り状に加工する方法としては、特に制限はなく、例えば、樹脂からなる直毛形状のブリッスルを材料に用い、薬品等を用いる従来公知の化学的方法で樹脂を溶解して先端を先細り状に加工してもよい。また、直毛形状のブリッスルの先端部周囲を機械加工によって研削することで先細り状に加工してもよい。
【００２４】
なお、先細り状とされた用毛３１は先端部の強度が弱いため、極度に強い力を加えて頭皮の洗浄やマッサージを行った際に毛先が曲がってしまい、毛穴の洗浄を行うことが困難となることがある。このため、頭皮洗浄時に使用者がブラシに加える荷重としては、概ね３００〜１３００ｇ程度とすることが好ましい。
【００２５】
図７に示す用毛３１の植毛面からの高さＨ１は、５〜３０ｍｍの範囲であることが好ましく、１０〜２５ｍｍの範囲であることがより好ましい。用毛３１の高さＨ１が上記範囲の下限値以上であると、毛髪が障害となって用毛３１が頭皮、毛穴に届かないという現象が起こりにくい。また、用毛３１の高さＨ１が上記範囲の上限値以下であると、用毛３１が曲がりにくく、そのため、先端部３１ａが頭皮の地肌や毛穴に届きやすくなる。
【００２６】
高さＨ１には多少のばらつきが生じる場合もあるが、植毛された全ての用毛３１の９割以上が、上記範囲内であることが品質上好ましい。
【００２７】
植毛穴２２の一穴あたりにおける用毛３１の植毛数は、植毛穴２２内部が外部から観察できない状態の密度となるように決定することが好ましく、具体的には、一穴あたりの用毛３１の植毛数が１０〜５０本であることが好ましく、１０〜３０本であることがより好ましく、１０〜２５本であることがさらに好ましい。ここで、例えば上述のように、用毛３１を複数束ねた後、長手方向の中央部から折り返すようにして植毛した場合には、１本の用毛による植毛数は２本となる。すなわち、用毛を複数本束ねた後、長手方向の中央部から折り返すようにして植毛した場合には、５〜１５本の用毛を使用することにより、植毛数１０〜３０本とすることができる。
【００２８】
植毛穴２２に対する植毛数が上記範囲の下限値以上であると、頭皮毛穴の洗浄効果がより得られやすい。上記範囲の上限値以下であると、径の大きな植毛穴２２を基台２に形成する必要がなく、また、植毛穴２２内に、洗髪時に使用する洗浄剤やリンス剤等が浸入して詰まることが防止されやすい。
【００２９】
植毛数には多少のばらつきが生じる場合もあるが、用毛３１が植毛された全ての植毛穴２２の９割以上において、用毛３１の植毛数が上記範囲内とされていることが品質上好ましい。
【００３０】
植毛穴２２内部が外部から観察できないような植毛数とすると、抜けた毛髪が毛束３に絡みにくく、また、仮に毛髪が毛束３に絡んだとしても、毛髪を毛束３から除去しやすい。また、植毛穴２２内に、洗髪時に使用する洗浄剤やリンス剤等が浸入して詰まることが防止されやすい。
植毛穴２２の断面積に対する用毛３１の植毛数が少ないと、用毛３１間に僅かな隙間が生じ、概ね７０μｍ程度の太さである毛髪が用毛３１間の僅かな隙間に挟まれてしまい、除去し難い状態となる傾向にある。
【００３１】
以下に、植毛穴２２に対する用毛３１の植毛密度の参考例を説明する。
例えば、直径が１．５ｍｍとされた植毛穴２２に、長手方向の中央部の直径が１９０μｍの用毛３１を中央部から折り返すようにして植毛する場合、２１本の用毛３１を束ね中央部から折り返して植毛すると、植毛穴２２内部が外部から観察できない状態の密度とすることができる。このような植毛穴２２内の状態について、断面積で検討すると、植毛穴２２の断面積＝０．７５×０．７５×３．１４＝１．７７ｍｍ２に対し、用毛３１が占める断面積は、０．０９５×０．０９５×３．１４×２１×２＝１．１９ｍｍ２となり、植毛穴２２の断面積の内の６７％が用毛３１で占められている状態となる。
また、本発明者が検討した結果、用毛３１の植毛数を１３本とした場合は、植毛穴２２の断面積に対して用毛３１の断面積が占める割合が４２％となり、この４２％という割合が、植毛穴２２内部が外部から観察されない状態と観察可能な状態との境界となることが見出された。植毛穴２２の断面積に対する用毛３１の断面積の占める割合Ｒが、境界である４２％未満になると、植毛穴２２内部が外部から観察可能な状態となり、このような状態においては、直径が概ね７０μｍ程度である毛髪が、用毛３１に絡みつきやすくなる。
【００３２】
毛髪の絡み易さの点から考慮した場合、植毛穴２２の断面積に対する用毛３１の断面積の割合Ｒが、上記境界である４２％以上であると、毛髪が用毛３１に絡みつきにくくなる。割合Ｒが８５％以下であると、植毛穴２２を起点として基台２が割れるなどの不都合が起きにくく、植毛された用毛３１の先端が外側に開いてしまう現象も抑制されやすい。よって、上記割合Ｒを４２〜８５％とすることが好ましい。
【００３３】
植毛穴２２は、植毛面２１において、後述する毛束３の配置パターン（植毛パターン）に対応したパターンに形成される。
植毛穴２２の大きさや形状は特に制限されず、一穴あたりの植毛数を上述した適切な範囲とすることができればよい。また、植毛穴２２の形状としては、例えば、特開２０００−５０９５５号公報等に示されているように、洗浄用ブラシの品質向上や製造効率の向上を目的として、真円形状の他、非円形状に形成してもよい。
【００３４】
用毛３１が複数束ねられた毛束３を、基台２の植毛穴２２に植毛する方法としては、例えば、一般的に歯刷子製造等に用いられる植毛装置を転用し、何ら制限なく用いることが可能であり、このような植毛装置の形態についても何ら制限されない。このような植毛装置としては、例えば、特開２０００−９３２３３号公報等に記載の製造装置を使用できる。
【００３５】
また、例えば特開２００１−４６１４９号公報等に示されるように、植毛後の毛束３の品質を向上させる等の目的で、中間品である毛束３植毛後の基台２に対して、冷却処理または熱処理等の後処理を施してもよい。
【００３６】
（弾性体）
弾性体５ａ，５ａ，５ｂ，５ｂ，…，５ｆ，５ｆおよび弾性体５は、この例では、横断面（植毛面に平行な断面）が真円形であって、図８に示すように、植毛面２１側の基部７ｂから先端部７ａに向かって漸次縮径する錐体状（円錐状）に形成されている。また、先端部７ａが曲面状に面取りされた形状とされている。
【００３７】
弾性体５ａ，５ａ，５ｂ，５ｂ，…，５ｆ，５ｆおよび弾性体５を構成する弾性材料としては、デュロメータ・タイプＡによりＪＩＳ  Ｋ６２５３  Ａに準拠して測定された数値（ショアＡ硬度）が、４０度以上９０度以下である材料が好ましく、４０度以上８０度以下の材料がより好ましい。
具体的な材料としては、例えば、ポリエチレン、ポリプロピレン等のポリオレフィン系樹脂、ナイロン（登録商標）、ポリアセタール等の合成樹脂、ウレタンゴム、シリコーン、ポリスチレン、ポリエチレン、ポリプロピレン、各種エラストマー等の弾性材料が挙げられる。これらの中でも、スチレン系エラストマーを用いることが、頭皮に対して効率良くマッサージ効果を付与できる点でより好ましい。
【００３８】
弾性体５ａ，５ａ，５ｂ，５ｂ，…，５ｆ，５ｆおよび弾性体５の基部７ｂの直径は、強度確保等の観点から、例えば５〜９ｍｍの範囲であることが好ましい。また、先端部７ａから基部７ｂ側に０．１ｍｍずれた部分における直径は、０．１〜１ｍｍの範囲であることが好ましい。直径が上記範囲の下限値以上であると、目的とするマッサージ効果が充分に得られやすく、上記範囲の上限値以下であると、頭皮の洗浄を実感しやすい。
【００３９】
図８に示す弾性体５ａ，５ａ，５ｂ，５ｂ，…，５ｆ，５ｆおよび弾性体５の植毛面２１からの高さＨ２は、５〜３０ｍｍの範囲が好ましく、１０〜２０ｍｍの範囲がより好ましい。高さＨ２が上記範囲の下限値以上であると、毛髪が障害となって弾性体の先端部７ａが頭皮毛穴に届かないという現象が起こりにくい。高さＨ２が上記範囲の上限値以下であると、弾性体５ａ，５ａ，５ｂ，５ｂ，…，５ｆ，５ｆおよび弾性体５が曲がりにくい。そのため、弾性体の先端部７ａが頭皮の地肌や毛穴に届き難くなるという現象が起こりにくい。
【００４０】
高さＨ２には多少のばらつきが生じる場合もあるが、全ての弾性体５ａ，５ａ，５ｂ，５ｂ，…，５ｆ，５ｆおよび弾性体５のうちの９割以上が、上記範囲内に入っていることが品質上好ましい。
なお、毛束３よりも外周側の弾性体５ａ，５ａ，５ｂ，５ｂ，…，５ｆ，５ｆと、毛束３よりも内周側の中央部の弾性体５とでは、高さを異ならせてもよい。この例のように、中央部の弾性体５を外周側の弾性体５ａ，５ａ，５ｂ，５ｂ，…，５ｆ，５ｆよりも低く形成すると、毛を掻き分けやすくなるとともに、弾性体の先端および毛束の先端により形成される面が頭皮の曲面に沿うため、全ての弾性体が頭皮に当たりやすく、洗浄力を確保できる点で好ましい。
【００４１】
弾性体５ａ，５ａ，５ｂ，５ｂ，…，５ｆ，５ｆおよび弾性体５は、例えば基台２の植毛面２１に形成された弾性体取付穴に嵌合する方法、所定の位置に各弾性体が取り付けられた基板を別途作製し、この基板と基台２とを重ね、基台２に形成された弾性体取付穴から各弾性体を貫通させる方法などで植毛面２１上に設けることができる。
【００４２】
弾性体取付穴は、植毛面２１上において、詳しくは後述する弾性体配置パターンに対応したパターンに形成される。弾性体取付穴の大きさや形状は、特に制限されず、取付けられる弾性体５ａ，５ａ，５ｂ，５ｂ，…，５ｆ，５ｆおよび弾性体５の大きさや形状に合わせて決定される。
【００４３】
（毛束と弾性体との配置パターン、用毛と弾性体との高さの関係等）
本実施形態例の洗浄用ブラシ１においては、図２および図３に示すように、植毛面２１における毛束３よりも外周側に突設された１２の弾性体５ａ，５ａ，５ｂ，５ｂ，…，５ｆ，５ｆが、略楕円形である植毛面２１の長軸を挟んで対向する弾性体同士、すなわち、弾性体５ａ同士、弾性体５ｂ同士、弾性体５ｃ同士、弾性体５ｄ同士、弾性体５ｅ同士、弾性体５ｆ同士で、それぞれ二本一組の対をなし、複数組（この例では６組）の対を形成している。
一方、複数の毛束３は、２×２列の正方形状に配列した４束で１ユニットを形成し、合計１６のユニットＵ１〜１６が植毛面２１に配置されている。
そして、すべての毛束３は、対をなす二本の弾性体を結ぶ６つの領域内のいずれかに、該領域内からはみ出ないように、配置されている。
このように対をなす二本の弾性体と、これらを結ぶ領域内に配置された毛束とで、６組のブラシ列６ａ，６ｂ，６ｃ，６ｄ，６ｅ，６ｆが形成されている。
【００４４】
具体的には、弾性体５ａ，５ａと、互いに間隔をあけて配列した毛束３のユニットＵ１，Ｕ２とで、１組のブラシ列６ａが形成され、同様に、弾性体５ｆ，５ｆと、互いに間隔をあけて配列した毛束３のユニットＵ１５，Ｕ１６とで、１組のブラシ列６ｆが形成されている。
また、弾性体５ｂ，５ｂと、互いに一定の間隔をあけて配列した毛束３のユニットＵ３，Ｕ４，Ｕ５，Ｕ６とで、１組のブラシ列６ｂが形成され、弾性体５ｃ，５ｃと、毛束３のユニットＵ７，Ｕ８とで、１組のブラシ列６ｃが形成され、弾性体５ｄ，５ｄと、ユニットＵ９，Ｕ１０とで、１組のブラシ列６ｄが形成され、弾性体５ｅ，５ｅと、毛束３のユニットＵ１１，Ｕ１２，Ｕ１３，Ｕ１４とで、１組のブラシ列６ｅが形成されている。
【００４５】
そして、任意のブラシ列は、他の任意のブラシ列とは互いに平行になっている。この例では、各ブラシ列は、いずれも植毛面２１の短軸方向に平行に配置されている。すなわち、６組のブラシ列６ａ，６ｂ，６ｃ，６ｄ，６ｅ，６ｆの全てが、互いに平行であり、植毛面２１の短軸方向に沿っている。
【００４６】
なお、この例では、植毛面２１の中央部に、４本の弾性体５が配置されているが、これら４本の弾性体５は毛束３よりも外周側に配置されたものではないため、本明細書においては、「対をなす」弾性体には該当せず、また、ブラシ列を構成する弾性体にも該当しない。
【００４７】
ここで図２および図３の洗浄用ブラシ１については、上述のように、弾性体５ａ同士、弾性体５ｂ同士、弾性体５ｃ同士、弾性体５ｄ同士、弾性体５ｅ同士、弾性体５ｆ同士が、それぞれ二本一組の対をなしていると見なし、植毛面２１の短軸方向に沿う６組のブラシ列６ａ，６ｂ，６ｃ，６ｄ，６ｅ，６ｆが形成されていると認定した。しかしながら、この例の洗浄用ブラシ１については、例えば、図９に示すように、弾性体ａと弾性体ｆとが二本一組の対をなしていると見なし、基台２の長軸方向に沿う２組のブラシ列６ｇ，６ｈが形成されていると見なすこともできる。
このように１つの洗浄用ブラシに対して、どの弾性体とどの弾性体とが対をなしているか捉える際に、複数通りの捉え方が存在する場合（すなわち、本例では図２および図３の捉え方と、図９の捉え方との二通り。）がある。
そして、この例の洗浄用ブラシ１の場合には、図２および図３に示すように対をなす６組の弾性体を捉えた場合には、「すべての毛束が、対をなす二本の弾性体を結ぶ領域内に配置されている」とみなすことができるが、図９に示すように対をなす２組の弾性体を捉えた場合には、毛束のユニットＵ１，Ｕ２，Ｕ４，Ｕ５、Ｕ１２，Ｕ１３，Ｕ１５，Ｕ１６は、対をなす二本の弾性体を結ぶ領域内に配置されていないことになるため、「すべての毛束が、対をなす二本の弾性体を結ぶ領域内に配置されている」とみなすことはできない。
上記の場合には、存在する複数通りの捉え方のうち、少なくとも１通りの捉え方で対をなす弾性体を決定したときに、その決定された対をなす二本の弾性体を結ぶ領域内に、すべての毛束が配置されていれば、当該洗浄用ブラシは、本発明に該当する。
この例で言えば、図２および図３に示す捉え方と、図９に示す捉え方とが存在するが、そのうち、図２および図３に示す捉え方であれば、上述のように、「すべての毛束が、対をなす二本の弾性体を結ぶ領域内に配置されている」とみなすことができる。そのため、この洗浄用ブラシ１は、本発明に該当する。
【００４８】
また、毛束について、「対をなす二本の弾性体を結ぶ領域内のみに配置される」とは、図１０に示すように、対をなす弾性体同士の基部７ｂの外縁を結ぶように、２本の線Ｌ１０、Ｌ２０を引いた場合に、この２本の線Ｌ１０、Ｌ２０からはみ出さないように、毛束３が植毛されていることをいう。具体的には、この２本の線Ｌ１０、Ｌ２０で挟まれた図中斜線領域内に、毛束３を植毛するための植毛穴２２が形成されていればよい。対をなす弾性体同士の基部７ｂの直径が同じであれば、２本の線Ｌ１０、Ｌ２０は互いに平行で、かつ、線Ｌ１０、Ｌ２０の間隔は基部７ｂの直径と同じである。
【００４９】
図１の洗浄ブラシ１においては、用毛３１の植毛面２１からの高さＨ１が、弾性体５ａ，５ａ，５ｂ，５ｂ，…，５ｆ，５ｆの植毛面２１からの高さＨ２以下である。用毛３１の植毛面２１からの高さＨ１は、弾性体５ａ，５ａ，５ｂ，５ｂ，…，５ｆ，５ｆの植毛面からの高さよりも０〜１０ｍｍの範囲で低く形成されていることが好ましく、０〜８ｍｍの範囲で低く形成されていることがより好ましく、１〜７ｍｍの範囲で低く形成されていることがさらに好ましい。上記範囲の下限値以上であれば、使用時に用毛３１の先端が寝にくく、上記範囲の上限値以下であれば、頭皮のマッサージ効果と毛穴内部の洗浄効果の両方がより優れやすい。これに対して、仮に用毛３１の植毛面２１からの高さＨ１が、弾性体５ａ，５ａ，５ｂ，５ｂ，…，５ｆ，５ｆの植毛面２１からの高さＨ２よりも大きい場合には、弾性体および用毛のそれぞれが頭皮のマッサージ効果や毛穴内部の洗浄効果を充分には奏さなくなる。
【００５０】
上述のとおり、用毛３１および弾性体５ａ，５ａ，５ｂ，５ｂ，…，５ｆ，５ｆの高さには、それぞれ多少のばらつきが生じる場合がある。その場合、最も高さの高い用毛３１と、対をなす弾性体のうち、最も高さの低い弾性体５ａ，５ａ，５ｂ，５ｂ，…，５ｆ，５ｆとを比較した場合に、これらの高さの関係が上記関係を満たすことが必要である。
なお、対をなしていない弾性体５は、用毛３１よりも高さが高くても低くてもよいが、この例では、植毛面２１の中央部に配置され、対をなしていない弾性体５は、植毛面２１からの高さが用毛３１と同程度に低く形成されている。植毛面２１の中央部に配置された弾性体の高さについて、このように用毛３１と同程度とすることは、毛の掻き分けやすさ、ブラシ通り向上の点で好ましい。
【００５１】
このように、植毛面２１において毛束３よりも外周側に設けられた弾性体５ａ，５ａ，５ｂ，５ｂ，…，５ｆ，５ｆが二本一組で対をなし、対をなす二本の弾性体を結ぶ領域内のみに、複数の毛束３が配置され、互いに平行な複数のブラシ列を形成し、かつ、用毛３１の植毛面２１からの高さＨ１が、弾性体５ａ，５ａ，５ｂ，５ｂ，…，５ｆ，５ｆの植毛面からの高さＨ２以下で構成されていると、頭皮上でのブラシ通りが良く、洗髪時等に動かしやすく、頭皮のマッサージ効果と毛穴内部の洗浄効果の両方が優れる洗浄用ブラシ１が得られる。
【００５２】
すなわち、植毛面２１において毛束３よりも外周側に、二本で対をなす弾性体５ａ，５ａ，５ｂ，５ｂ，…，５ｆ，５ｆが配置され、対をなす二本の弾性体を結ぶ領域内のみに、毛束３が配置されてブラシ列６ａ，６ｂ，６ｃ，６ｄ，６ｅ，６ｆ，６ｆが形成され、さらに、各ブラシ列６ａ，６ｂ，６ｃ，６ｄ，６ｅ，６ｆ，６ｆが互いに平行であると、頭皮上で洗浄用ブラシ１を動かした場合に、ブラシ通りが優れ、洗髪時等に動かしやすい。そのため、例えば毛髪量の多い使用者が使用した場合等においても、毛髪をかき分けやすい。
ここで弾性体が毛束よりも外周側に設けられていたとしても、これらが対をなしておらず、ランダムに配置されている場合や、対をなしていても、任意の対と他の任意の対とが互いに平行ではない場合には、洗浄用ブラシ１を動かしたときに、弾性体に毛髪がからまりやすく、ブラシ通り、洗浄用ブラシの動かしやすさが劣る。
ブラシ列の本数は、３〜１０本が好ましく、４〜８本がより好ましい。また、各ブラシ列における弾性体の数は２本であるが、これら２本の間に配置される毛束のユニット数は、ユニットを構成する毛束数にもよるが、２〜７ユニットが好ましく、４〜６ユニットがより好ましい。
なお、どの弾性体とどの弾性体が対をなしていると捉えるかに、複数通りの捉え方が存在し、そのため、複数通りのブラシ列の数え方が生じる場合には、複数種の数え方で数えられたブラシ列の本数のいずれもが、上記範囲内であることが好ましい。
【００５３】
また、植毛された毛束のうちの少なくとも一部が、対をなす二本の弾性体を結ぶ領域からはみ出る位置に植毛されていると、その毛束がブラシ通りを妨げ、洗浄用ブラシの操作性が劣る。そのため、マッサージ効果や毛穴内部の洗浄効果も充分には得られ難くなる。
【００５４】
さらに、毛束よりも外周側に弾性体が配置され、その弾性体が二本一組で対をなし、かつ、弾性体間には毛束が配置されたブラシ列が複数平行に形成されていたとしても、用毛の植毛面からの高さＨ１が、対をなす弾性体の植毛面からの高さＨ２より高い場合には、使用時において、弾性体先端部が頭皮上で弾性変形した状態になると、用毛の先端が頭皮に当たって寝てしまう。そのため、毛穴内部の洗浄効果が不充分となる。また、用毛の先端が寝てしまうことで、用毛によっても発揮されるマッサージ感がほとんど得られず、そのため、洗浄用ブラシ全体としてのマッサージ感も充分には得られない。
【００５５】
特に、図１の洗浄用ブラシ１は、その把持部４２の挟み部４２ａが、平面視略楕円形である基台２および植毛面２１の長軸方向に沿って延在するように形成されている。そのため、この洗浄用ブラシ１の使用者は、例えば図５に示すように、人差し指と中指との間で挟み部４２ａを挟み、頭皮上で図５中矢印方向（平面視略楕円形である基台２における短軸方向に概略沿う方向。）に、このブラシを往復させて操作するものと考えられる。ここで、図示例の洗浄用ブラシ１のブラシ列６ａ，６ｂ，６ｃ，６ｄ，６ｅ，６ｆ，６ｆは、洗浄用ブラシ１の往復方向と同じ基台２および植毛面２１の短軸方向に沿う方向に配置されており、想定されるブラシの往復方向と、ブラシ列の配置方向とが一致している。そのため、この例の洗浄用ブラシ１は、特に、ブラシ通り、毛髪のかき分けやすさの点で、優れていると考えられる。
【００５６】
また、この例では、各弾性体５ａ，５ａ，５ｂ，５ｂ，…，５ｆ，５ｆおよび弾性体５の横断面が真円形であって等方的形状となっている。そのため、洗浄用ブラシ１の使用時に頭皮から弾性体に対して加わる力が、どのような向きのものであったとしても、マッサージ効果を充分に発揮できる。例えば、弾性体の横断面が非等方的形状（異方的形状）である例えば楕円形等であると、加わる力の向きによって、得られるマッサージ効果が変動し、力の方向によっては充分なマッサージ効果が得られ難くなる場合がある。
【００５７】
本明細書において等方的形状とは、真円形の他、正六角形、正八角形、正十角形等、正ｎ角形（ただし、ｎは６以上の偶数である。）のことをいう。また、全弾性体の横断面が、これらのうちの一種の形状に統一されている必要はなく、例えば、真円形である弾性体と正六角形である弾性体とが混在していてもよい。
【００５８】
（毛束（植毛穴）の配置）
図示例では、毛束３は、４束の毛束３により１ユニット形成しており、１ユニットにおける４束の毛束３は、２×２列の正方形状に配列している。１ユニットにおける毛束の数は、４束に限定されず、２〜６束が好ましく、４〜６束がより好ましい。
【００５９】
１ユニットあたりの毛束３の数（植毛穴２２の穴数に対応）が上記範囲の下限値以上であると、頭皮への当たり心地が良く、充分なマッサージ効果が得られやすい。上記範囲の上限値を超えると、植毛面上に配される各ユニット内の毛束が略面接触状態で頭皮に接するためにマッサージ効果が得られにくく、また、用毛３１が効率的に頭皮毛穴に進入できなくなり、毛穴汚れの除去、洗浄効果が不充分となる場合がある。
【００６０】
また、この例では、植毛穴２２については、１ユニット内における任意の２箇所の植毛穴２２の図２に示す中心間距離が、最短部距離Ｌ１で３ｍｍ、最長部距離Ｌ２で４．２ｍｍとされ、任意のユニットの中心点から、最も近いユニット中心点までの最短中心間距離Ｌ３が、最短部で９ｍｍとされている。好ましい最短部距離Ｌ１は１ｍｍ以上、好ましい最長部距離Ｌ２は１０ｍｍ未満、好ましい最短中心間距離Ｌ３は１ｍｍ以上１５ｍｍ未満、より好ましい最短中心間距離Ｌ３は３ｍｍ以上１５ｍｍ未満である。これにより、充分な汚れの洗浄実感とマッサージ効果が同時に得られやすい。
【００６１】
最短部距離Ｌ１が上記下限値以上であると、各ユニット内の毛束３が面接触状態で頭皮に接しにくいため、良好なマッサージ効果が得られやすい。また、用毛３１が効率的に頭皮毛穴に進入しやすく、毛穴汚れの除去、洗浄効果が充分に得られやすい。
最長部距離Ｌ２が上記下値以上であると、頭皮への当たり心地がより良好となる。
最短中心間距離Ｌ３が上記範囲内であれば、無植毛領域が広くなりすぎず適度であり、用毛の先端が頭皮に到達した実感が得られ、不快な刺激感は低減され、その結果、洗浄効果および使用感に優れ、外観から得られる洗浄効果感も良好となる。
【００６２】
このように植毛面２１において、毛束３が複数本で１ユニットを形成し、複数のユニットが互いに一定の間隔をあけて設けられていると、植毛領域（毛束がユニットを形成しつつ植毛された領域）と無植毛領域（毛束が植毛されていない領域）とが効果的に配置され、複数束の毛束３が密に均一分布した場合に比べ、より高いマッサージ効果が得られるとともに、より高い頭皮毛穴洗浄効果が得られる。
【００６３】
なお、図示例の洗浄用ブラシ１では、毛束３は４束で１ユニットを形成しているが、後に図面により例示するように、ユニットを形成する毛束数、毛束の配置形状は、これに限定されない。
【００６４】
また、植毛面２１上に植毛される毛束３の総ユニット数は、図示例では１６ユニットであり、８〜３２ユニットの範囲が好ましく、１０〜２４ユニットの範囲がより好ましい。総ユニット数が上記範囲であれば、毛穴の洗浄効果がより優れる。
【００６５】
（弾性体の配置）
弾性体５ａ，５ａ，５ｂ，５ｂ，…，５ｆ，５ｆは、植毛面２１における毛束３よりも外周側において、図１１に示すように、隣接する弾性体の基部（根元）７ｂの間に５〜３０ｍｍの間隔Ｃ１を設けて配置されていることが好ましく、間隔Ｃ１は７〜２２ｍｍがより好ましい。間隔Ｃ１を上記範囲とすることにより、毛髪をかき分ける効果に優れるとともに、弾性体５ａ，５ａ，５ｂ，５ｂ，…，５ｆ，５ｆによる優れたマッサージ効果が得られる。間隔Ｃ１が上記範囲の下限値以上であると、毛髪が弾性体５ａ，５ａ，５ｂ，５ｂ，…，５ｆ，５ｆに絡まりにくく、毛髪をかき分けやすく、洗浄用ブラシ１のブラシ通りも良好となる。間隔Ｃ１が上記範囲の上限値以下であると、所望のマッサージ効果が得られやすい。
【００６６】
植毛面２１における毛束３よりも外周側に突設される弾性体５ａ，５ａ，５ｂ，５ｂ，…，５ｆ，５ｆの総数は、この例では１２本であり、４〜２４本の範囲が好ましく、６〜２２本の範囲がより好ましく、１０〜１６本の範囲がさらに好ましい。植毛面２１における毛束３よりも外周側に配置され、対をなす弾性体の総数が上記範囲であれば、頭皮に対して効率良くマッサージ効果を付与することができ、また、使用者が良好なマッサージ感を得ることができる。
【００６７】
植毛面２１における毛束３よりも外周側に突設される弾性体５ａ，５ａ，５ｂ，５ｂ，…，５ｆ，５ｆは、その弾性体の基部７ｂの外縁から植毛面２１の周縁２１ａまでの図１２に示す最短距離Ｌ４が、１〜１０ｍｍとなる範囲に設けられることが好ましい。このように植毛面２１の周縁に設けられることにより、弾性体５ａ，５ａ，５ｂ，５ｂ，…，５ｆ，５ｆによる、毛髪をかき分る効果が安定に得られやすい。
【００６８】
なお、図１の例では、植毛面２１の中央部に、対をなさない４つの弾性体５が形成されており、このような弾性体は、設けられていなくてもよいが、マッサージ感やブラシ通り向上の点からは、設けられていることが好ましい。
【００６９】
以上説明したように本実施形態の洗浄用ブラシは、植毛面における毛束よりも外周側には、二本で対をなす弾性体が複数組突設され、対をなす二本の弾性体を結ぶ領域内のみに、複数の毛束が配置されることにより、二本の弾性体とその間に配置された毛束とからなるブラシ列が複数組形成され、任意のブラシ列と、他の任意のブラシ列とは、互いに平行であり、かつ、用毛の植毛面からの高さは、弾性体の植毛面からの高さ以下である。そのため、頭皮上でのブラシ通りが良く、洗髪時等に動かしやすく、頭皮のマッサージ効果と毛穴内部の洗浄効果の両方が優れる。
【００７０】
本発明の洗浄用ブラシとして好適な弾性体および毛束の配置パターンとしては、例えば、図１３（ａ）〜（ｅ）に示すパターンおよび図１４（ａ）〜（ｆ）に示すパターンが挙げられる。なお、図１３（ｃ）、図１３（ｄ）は、図２の洗浄用ブラシ１と同じ配置パターンであるが、最長部距離Ｌ２、最短部距離Ｌ１、最短中心間距離Ｌ３、間隔Ｃ１等が異なっている。また、図１４（ｃ）〜（ｅ）は、互いに、最長部距離Ｌ２、最短部距離Ｌ１、最短中心間距離Ｌ３、間隔Ｃ１等が異なっている関係にある。
また、図１３（ｂ）および図１４（ｂ）では、５つの毛束３が１ユニットを形成しているが、５つの毛束３は、例えば図１５（ａ）に示すように、五角形状に配置してもよい。また、図１３（ｅ）および図１４（ｆ）では、６つの毛束３が１ユニットを形成しているが、６つの毛束３は、例えば図１５（ｂ）に示すように、六角形状に配置してもよい。このようにユニットを形成する毛束数、毛束の配置形状は、任意に決定できる。
【００７１】
なお、本発明の洗浄用ブラシにおいては、植毛面２１のいずれの部分にも、対をなさない弾性体が設けられていてもよい。ただし、その場合には、対をなさない弾性体の本数は、植毛面で対をなす弾性体の本数の５０％以下の本数であり、かつ、１２本以下であることが、本発明の効果を得るうえで好適である。
【００７２】
このような洗浄用ブラシ１は、主として洗髪時等において、シャンプー剤を頭皮上及び頭髪に泡立てた状態で用いることにより、頭皮及び頭皮の毛穴、毛髪等の汚れに対して優れた洗浄効果およびマッサージ効果が得られる。
また、例えば、マッサージ剤を頭皮及び頭髪に塗布した後、洗浄用ブラシ１によって刷掃することにより、速やかにマッサージ剤が頭皮及び頭髪の全体に行き渡り、効率良くマッサージすることができるとともに、頭皮や毛穴内部の汚れを浮き上がらせ、洗浄効果をより向上させることが可能となる。
さらに、リンス剤やコンディショナー剤と併せて使用した場合、これらの液剤を速やかに頭皮に到達させるとともに、目的とする成分を頭皮に効率的に浸透させることができるため、非常に好適である。
本発明に係る洗浄用ブラシの使用形態としては、これらに限定されるものではなく、頭皮や頭皮の毛穴の手入れ作業において、様々な用途に用いることができる。
【００７３】
（その他）
本発明の洗浄用ブラシは、上記例示した実施形態に限定されない。
例えば、基台の形状は、平面視略楕円形に限定されず、円形、多角形等でもよい。また、弾性体の形状は、基部から先端部にかけて縮径する錐体形状が好適であるが、例えば、円柱、角柱等の柱状でもよい。その場合には、先端部が曲面状に面取りされた形状であることが好ましい。また、把持部の形状も図示例に限定されないし、把持部を有していなくてもよい。
【実施例】
【００７４】
以下に、本発明について、実施例を挙げて具体的に説明するが、本発明は実施例によって限定されるものではない。
【００７５】
［実施例１］
以下の手順で、図６に示すような用毛３１を用いて毛束３を作製するとともに、図８に示すような弾性体（横断面が真円状）を製造し、これら毛束と弾性体が取付けられた基台を筐体に取り付け、図１に示す形態、図２に示す弾性体および毛束の配置パターンの洗浄用ブラシ１を作製した。
【００７６】
（基台の作製）
７９．０ｍｍ（長軸）×６４．３ｍｍ（短軸）の平面視略楕円形状とされ、厚さが４．５ｍｍの基台２において、植毛面２１における毛束３よりも外周側となる位置に、弾性体５ａ，５ａ，５ｂ，５ｂ，…，５ｆ，５ｆを挿通して取り付けるための弾性体取付穴の１２個を楕円形状に形成した。また、植毛面２１の中央部に、弾性体５を取り付けるための弾性体取付穴を正方形状に４つ形成した。
また、直径が１．５ｍｍの植毛穴２２を図２に示すパターンとなるように１６ユニット（１ユニットは２×２列）形成した。
【００７７】
（用毛の作製）
ポリブチレンテレフタレート（ＰＢＴ）からなる直径１９０μｍの用毛の原糸を等寸法にカットし、規定温度に加温した高濃度ＮａＣｌ溶液中に浸漬して薬品加工を施す従来公知の方法を用い、両端部を先細り状に加工し、用毛３１を得た。この用毛３１は、先端から０．１ｍｍの部位における直径ｄ２は約２０μｍ、最も太い中央部の直径ｄ１は約０．１９ｍｍであった。
【００７８】
（用毛の植毛）
得られた用毛３１を約１５本で一束として、基台２の各植毛穴２２に中央部から折り返すようにして用毛３１を植毛することにより、各植毛穴２２に毛束３が取り付けられた状態とした。この際、用毛（毛束）３１の植毛面２１からの高さＨ１は、すべて１３ｍｍとした。
【００７９】
（弾性体の作製）
横断面が真円形である円錐状の弾性体５ａ，５ａ，５ｂ，５ｂ，…，５ｆ，５ｆおよび弾性体５が表面に形成された図示略の弾性体基板を一体成形で作製した。材料には、スチレン系エラストマー（硬度：６０Ａ）を用いた。この際、弾性体５ａ，５ａ，５ｂ，５ｂ，…，５ｆ，５ｆは、先端から０．１ｍｍの部位における直径を約０．３ｍｍ、弾性体の基部の直径を５．７ｍｍとし、先端部には曲面状に面取り処理を施した。４本の弾性体５についても、先端から０．１ｍｍの部位における直径を約０．３ｍｍ、弾性体の基部の直径を５．７ｍｍとし、先端部には曲面状に面取り処理を施した。また、各弾性体５ａ，５ａ，５ｂ，５ｂ，…，５ｆ，５ｆは、植毛面からの高さＨ２が１７ｍｍとなるようにし、弾性体５は、植毛面からの高さが１３ｍｍとなるようにした。
【００８０】
（頭皮用ブラシの作製）
植毛面２１上に複数の毛束３が植毛されるとともに、弾性体取付穴が形成された基台２と弾性体基板とを、図１に示すような把持部４２を有する筐体４の開口部４１に嵌め込んで一体に取付け、実施例１の洗浄用ブラシ１を得た。この際、弾性体基板に基台２を重ね合わせ、基台２に形成された弾性体取付穴に各弾性体が挿通され、植毛面２１から突出するように組み付けた。
実施例１の洗浄用ブラシ１における弾性体、毛束の配置等について、表１にまとめて示す。
【００８１】
（評価）
得られた実施例１の洗浄用ブラシ１を用い、下記のように、「毛穴内部洗浄感」、「マッサージ感」、「洗髪時の洗浄用ブラシの動かしやすさ」について、評価した。
洗浄用ブラシの使用方法としては、市販のシャンプー（商品名：植物物語ハーブブレンドシャンプーヨーロピアンブレンド（登録商標）、ライオン株式会社製）を用い、まず、各パネル（被験者）がシャンプーを頭皮及び頭髪に対して適量で付与し、泡が頭皮地肌全体に行き渡るようにして泡立てた後、洗浄用ブラシのサンプルを用いて洗髪を行なった。この際、洗浄用ブラシのサンプルを用いた洗髪時間は約３分間とし、均一に洗浄用ブラシを動かして泡立てながら洗浄する方法とした。
そして、お湯で頭髪及び頭皮全体をすすいだ後、頭髪を乾燥させ、上記３項目について、各パネルが以下に説明する評価基準で官能評価を行った。結果を表１に示す。
なお、各官能評価試験におけるパネル（被験者）としては、毛髪量の多い男性パネル（ｎ＝３０名）を用い、各々同条件で評価を行なった。
【００８２】
（１）毛穴内部洗浄感
シャンプーを用いて頭皮洗浄操作を行った際における毛穴内部の洗浄感を「非常に良好」から「不良」までの１０段階で官能評価した。表には、パネルの平均値を四捨五入して、整数で示した。
【００８３】
（２）マッサージ感
シャンプーを用いて頭皮洗浄操作を行った際におけるマッサージ感を「非常に良好」から「不良」までの１０段階で官能評価した。表には、パネルの平均値を四捨五入して、整数で示した。
【００８４】
（３）洗髪時の洗浄用ブラシの動かしやすさ
シャンプーを用いて頭皮洗浄操作を行った際における洗髪時の洗浄用ブラシの動かしやすさを「非常に良好」から「不良」までの１０段階で官能評価した。表には、パネルの平均値を四捨五入して、整数で示した。
【００８５】
［実施例２〜４および比較例１〜４］
洗浄用ブラシにおける弾性体と毛束の配置パターンを変更した以外は、実施例１と同様にして洗浄用ブラシを製造し、同様に評価した。
なお、実施例２は図１４（ｃ）〜（ｅ）に相当するパターンで、略楕円形の基台の植毛面の短軸方向に平行なブラシ列を６本有し、実施例３は図１６に示すパターンで、基台の植毛面の短軸方向に平行ではない６本のブラシ列を有し、実施例４は図１７に示すパターンで、基台の植毛面の短軸方向に平行な４本のブラシ列と、長軸方向に平行な４本のブラシ列を有する。
比較例１は図１８に示すパターン、比較例２は図１９に示すパターン、比較例３は図２０に示すパターンとした。比較例４（図示略）は、実施例１と同様のパターンであるが、対をなす弾性体の高さよりも、毛束をなす用毛の高さを高くした点が実施例１と異なる。
実施例２〜４および比較例１〜４の洗浄用ブラシにおける弾性体、毛束の配置等と、評価の結果を表１および表２に示す。
なお、比較例２は、弾性体を有しない洗浄用ブラシであり、植毛面には、用毛からなる毛束３（１ユニットあたり４束）のみが、実施例１の毛束と同じ最長部距離Ｌ２、最短部距離Ｌ１、最短中心間距離Ｌ３、同じ高さで、設けられている。
比較例３は、毛束を有しない洗浄用ブラシであり、植毛面には、実施例１と同じ形状、高さ、間隔Ｃ１で、弾性体が縦横に３２個設けられている。なお、比較例３については、表２における対をなしている弾性体についての欄に、洗浄用ブラシが有する弾性体について記載している。
【００８６】
【表１】
2015109906.tif 000003
【００８７】
【表２】
2015109906.tif 000004
【００８８】
［評価結果］
表１に示すように各実施例の洗浄ブラシによれば、「毛穴内部洗浄感」、「マッサージ感」、「洗髪時の洗浄用ブラシの動かしやすさ」に優れていた。実施例３では、ブラシ列は互いに平行であるが、その方向が植毛面の短軸方向に沿う方向ではない。そのため、ブラシ使用時の往復方向とブラシ列の方向とが平行ではない場合が生じ、そのため、ブラシの動かし易さが他の実施例よりもやや劣った。
比較例１では、対をなす弾性体間からはみ出た位置にも用毛が植毛されているため、ブラシを動かしにくく、毛束による毛穴内部の洗浄効果と、弾性体によるマッサージ感のいずれもが、不充分であった。
比較例２の洗浄用ブラシは、弾性体を有していないため、マッサージ感が不充分であった。一方、比較例３の頭皮洗浄ブラシは、毛束を有していないため、毛穴内部の洗浄効果が不充分であった。
比較例４の頭皮洗浄ブラシは、植毛面における毛束３よりも外周側で対をなす弾性体の高さが毛束をなす用毛の高さよりも低いため、洗髪時に用毛の先端が頭皮に当たって寝てしまい、毛穴内部の洗浄効果が不充分であった。また、用毛の先端が寝てしまうことで、用毛によっても発揮されるマッサージ感がほとんど得られず、そのため、洗浄用ブラシ全体としてのマッサージ感も充分には得られない結果となった。
【符号の説明】
【００８９】
１：頭皮毛穴洗浄用ブラシ
２：基台
２１：植毛面
３：毛束
３１：用毛
５，５ａ，５ｂ，５ｃ，５ｄ，５ｅ，５ｆ：弾性体
６ａ，６ｂ，６ｃ，６ｄ，６ｅ，６ｆ：ブラシ列
【図１】
2015109906.tif 000005
【図２】
2015109906.tif 000006
【図３】
2015109906.tif 000007
【図４】
2015109906.tif 000008
【図５】
2015109906.tif 000009
【図６】
2015109906.tif 000010
【図７】
2015109906.tif 000011
【図８】
2015109906.tif 000012
【図９】
2015109906.tif 000013
【図１０】
2015109906.tif 000014
【図１１】
2015109906.tif 000015
【図１２】
2015109906.tif 000016
【図１３】
2015109906.tif 000017
【図１４】
2015109906.tif 000018
【図１５】
2015109906.tif 000019
【図１６】
2015109906.tif 000020
【図１７】
2015109906.tif 000021
【図１８】
2015109906.tif 000022
【図１９】
2015109906.tif 000023
【図２０】
2015109906.tif 000024